(57)【要約】【課題】  ３番ロスを防止することができて、かつ藁屑の詰まりを防止することのできる脱穀装置を低コストで実現する。【解決手段】  脱穀部後部の排塵口２３の開口を閉じる遮蔽部材２０を、これの上部に位置する軸心Ｐ周りに回動自在に支持するとともに、遮蔽部材２０と一体に揺動する重錘３１を設けて、唐箕１０から供給される選別風の風量に応じて遮蔽部材２０が揺動するように構成するとともに、前記重錘３１の遮蔽部材２０の軸芯Ｐ位置からの距離を変更可能に構成してある脱穀装置を構成した。【選択図】図２
2009060842.tif 000002
【特許請求の範囲】
【請求項１】
扱室の下方に揺動選別装置を備え、前記揺動選別装置の処理物の搬送上手側の下方に風量調整可能な唐箕を備えて、この唐箕により処理物の搬送下手側の排塵口に向って選別風を供給するとともに、前記排塵口を遮蔽可能な遮蔽部材を備えて、この遮蔽部材により前記唐箕から供給される選別風の前記排塵口からの排出に抵抗を与えるように構成してある脱穀装置であって、
前記遮蔽部材をこれの上部に位置する軸心周りに揺動自在に支持し、前記遮蔽部材と一体に揺動する重錘を設けて、前記唐箕から供給される選別風の風量に応じて前記遮蔽部材が揺動するように構成するとともに、前記重錘の前記遮蔽部材の軸芯位置からの距離を変更可能に構成してある脱穀装置。
【請求項２】
前記遮蔽部材の前記軸芯周りでの揺動範囲を規制する規制部材を設けてある請求項１記載の脱穀装置。
【請求項３】
前記規制部材がバネ材である請求項２記載の脱穀装置。
【請求項４】
側面視で前記軸心の位置を中心として、前記遮蔽部材と一体に揺動する重錘の重心位置よりも前記遮蔽部材の重心位置を処理物の搬送下手側となる所定の開き角度を与えてある請求項１〜３のいずれか一項に記載の脱穀装置。
【請求項５】
前記開き角度を変更可能に構成してある請求項１〜４のいずれか一項に記載の脱穀装置。
【請求項６】
前記選別風による前記遮蔽部材の処理物搬送下手側への揺動に対して抵抗を与えるダンパーを備えてある請求項１〜５のいずれか一項に記載の脱穀装置。
【発明の詳細な説明】
【技術分野】
【０００１】
本発明は、排塵口の開口を制限する遮蔽部材を備えた脱穀装置に関する。
【背景技術】
【０００２】
従来の脱穀装置においては、例えば、特許文献１に開示されているように、排塵口付近に設けた遮蔽部材を、連係ワイヤを介して唐箕と連係することによって、唐箕の風量と遮蔽部材の開閉を連動させて（唐箕の風量が減少すると遮蔽部材が閉じて）、穀粒が排塵口から排出されることを防止するものや、特許文献２に開示されているように、排塵口付近に設けた遮蔽部材を連係ロッドやカムを介して搬送装置と連係することによって、脱穀装置に供給される穀稈の量と遮蔽部材の開閉を連動させて（穀稈の量が減少すると遮蔽部材が閉じて）、穀粒が排塵口から排出されることを防止するものが知られている。
【０００３】
【特許文献１】特開平８−２５２０２４号公報（図３）
【特許文献２】特開２００２−２１８８３６号公報（図３）
【発明の開示】
【発明が解決しようとする課題】
【０００４】
特許文献１及び特許文献２に開示されているように、連係ワイヤや連係ロッドを介して、排塵口付近に設けた遮蔽部材を唐箕や搬送装置と連動させることによって遮蔽部材を開閉して、処理物の搬送上手側から供給された穀粒を含む藁屑を遮蔽部材に当てて穀粒を揺動選別装置内に導くことによって、穀粒が排塵口から排出される、いわゆる３番ロスを防止することができる。
しかし、連係ワイヤや連係ロッドを介して唐箕や搬送装置と連動させると、唐箕の風量や脱穀装置に供給される穀稈の量に応じて、遮蔽部材を開閉することができて排塵口を遮蔽することができる反面、脱穀装置に供給される穀稈の量が急激に増加すると、その急激な変化に遮蔽部材の動作が迅速に対応できずに遮蔽部材が閉じた状態で大量の藁屑が供給されて、遮蔽部材付近で藁屑が詰まって、円滑な脱穀作業を行う妨げになるといった問題があった。
また、連係ワイヤや連係ロッドを介して唐箕や搬送装置と連動させて遮蔽部材を開閉させる構造では、その構造や制御装置が複雑で、製造コストがアップする一因となっていた。
本発明は、３番ロスを防止することができて、かつ、藁屑の詰まりを防止することのできる脱穀装置を低コストで実現することを目的としている。
【課題を解決するための手段】
【０００５】
［Ｉ］
（構成）
本発明の第１特徴は、扱室の下方に揺動選別装置を備え、揺動選別装置の処理物の搬送上手側の下方に風量調整可能な唐箕を備えて、この唐箕により処理物の搬送下手側の排塵口に向って選別風を供給するとともに、排塵口を遮蔽可能な遮蔽部材を備えて、この遮蔽部材により唐箕から供給される選別風の排塵口からの排出に抵抗を与えるように構成してある脱穀装置であって、遮蔽部材をこれの上部に位置する軸心周りに揺動自在に支持し、遮蔽部材と一体に揺動する重錘を設けて、唐箕から供給される選別風の風量に応じて遮蔽部材が揺動するように構成するとともに、重錘の遮蔽部材の軸芯位置からの距離を変更可能に構成してある。
【０００６】
（作用）
本発明の第１特徴によると、唐箕から供給される選別風の風量が多い場合には、選別風の風圧を受けて、遮蔽部材がこれの上部に位置する軸心周りに揺動して、排塵口が開放される。また、唐箕から供給される選別風の風量が少ない場合には、選別風の風圧に抗して遮蔽部材の自重と重錘の重量が働いて、遮蔽部材がこれの上部に位置する軸心周りに揺動して、排塵口の開口が狭まるように遮蔽される。すなわち、唐箕から供給される選別風の風量に応じて遮蔽部材を開閉することができて、排塵口の開口を制限するように遮蔽することができる。
【０００７】
脱穀装置に供給される穀稈の量が急激に増加して、遮蔽部材が遮蔽された状態で大量の藁屑が遮蔽部材付近に供給されても、遮蔽部材がこれの上部に位置する軸心周りに揺動して、排塵口が開放される。すなわち、脱穀装置に供給される穀稈の急激な変化に迅速に対応できる遮蔽部材を実現できる。
【０００８】
唐箕から供給される選別風の風量に応じて排塵口の開口を制限するように遮蔽することができる遮蔽部材を、遮蔽部材の上部に位置する軸心周りに回動自在に支持することによって実現できるため、排塵口の開口を制限する遮蔽部材の構造を簡素に構成することができる。
【０００９】
遮蔽部材には上端部の軸心周りで遮蔽部材と一体に揺動する重錘を設けているので遮蔽部材が強い選別風で煽られても、重錘によって開度が極端に大きくならないので、三番物を機外に排出されることが抑制できる。
又、重錘の遮蔽部材の軸芯位置からの距離を変更可能に構成してあるので、唐箕による選別風の風量（風力）と選別風の風量に応じた遮蔽部材の揺動量（揺動角）との関係を最適な状態に設定することができる。これによって三番物が排出されるのを抑制するのに最も都合のよい状態に設定することができるに至った。
【００１０】
（発明の効果）
本発明の第１特徴によると、唐箕から供給される選別風の風量に応じて遮蔽部材を開閉することができて、排塵口の開口を制限することができるため、処理物の搬送上手側から穀粒を含む藁屑が供給されて遮蔽部材に当たると、比重の重い穀粒は揺動選別装置内に落下し、比重の軽い藁屑は選別風に乗って排塵口に導かれる。そのため、穀粒が排塵口から排出される３番ロスを防止することができる。
【００１１】
脱穀装置に供給される穀稈の急激な変化に迅速に対応できる遮蔽部材を実現できるため、遮蔽部材付近で藁屑が詰まることを防止することができ、円滑な脱穀作業を行うことができて、脱穀作業の作業性が向上する。
【００１２】
排塵口開口を制限する遮蔽部材の構造を簡素に構成することができるため、脱穀装置の製造コストを削減することができる。
【００１３】
遮蔽部材と一体に揺動する重錘を設けたことによって三番物が機外に排出されるのを抑制できるとともに、重錘の遮蔽部材の軸芯位置からの距離を調節することによって、三番物が排出されるのを抑制するのに最も都合のよい状態に設定することができるに至った。
【００１４】
［ＩＩ］
（構成）
本発明の第２特徴は、本発明の第１特徴の脱穀装置において次のように構成することにある。
遮蔽部材の軸芯周りでの揺動範囲を規制する規制部材を設けてある。
【００１５】
（作用効果）
本発明の第２特徴によると、本発明の第１特徴と同様に前項［Ｉ］に記載の「作用」及び「発明の効果」を備えており、これに加えて以下のような「作用効果」を備えている。
遮蔽部材の軸芯周りでの揺動範囲を規制する規制部材を設けてあるので、選別処理量の割りに唐箕の風力が強い場合であっても遮蔽部材の開度が規制部材で規制された揺動範囲以上に大きくなることはないので、三番物を不測に多量に排出されることが防止できる。
【００１６】
［ＩＩＩ］
（構成）
本発明の第３特徴によれば、前記規制部材がバネ材で構成したものである。
【００１７】
（作用効果）
本発明の第３特徴によると、本発明の第１、２の特徴と同様に前項［Ｉ］［ＩＩ］に記載の「作用効果」を備えており、これに加えて以下のような「作用効果」を備えている。
唐箕の風量に応じて遮蔽部材の開度が変更されるとともに、選別処理量の割りに唐箕の風力が強くなって遮蔽部材の開度が大きく開かれる場合、バネ材によって遮蔽部材の開度が抑制されるので唐箕による選別風により遮蔽部材の開度が開き勝手に作用しながらもその開度が大きくなることが抑制され、選別処理物が多い場合にそれに対応して遮蔽部材の開度が多少大きくなることを許容して急激な藁屑の排出量の増大の変化に対して、遮蔽部材を後方へ逃がして詰まりを回避するという機能を有しながらも、三番物を不測に多量に排出されることが防止できる。
【００１８】
［ＩＶ］
（構成）
本発明の第４特徴によれば、側面視で前記軸心の位置を中心として、遮蔽部材と一体に揺動する重錘の重心位置よりも遮蔽部材の重心位置を処理物の搬送下手側となる所定の開き角度を与えてある。
【００１９】
（作用効果）
本発明の第４特徴によると、本発明の第１〜３の特徴と同様に前項［Ｉ］［ＩＩ］［ＩＩＩ］に記載の「作用効果」を備えており、これに加えて以下のような「作用効果」を備えている。
本発明の第４特徴によると、無風状態で遮蔽部材が垂下している場合に比べて、遮蔽部材の小さい開角度で排塵口の背面視の開度を大きく確保することができる。遮蔽部材が開き始めるとき（無風状態のとき）は、重錘は略垂下した状態にあり、この状態では遮蔽部材の自重と重錘の重量による遮蔽部材の開方向のモーメントの変化量が小さいので、重錘を比較的重いものとしながら初期開度を大きくすることができ、開度が大きくなるほど開くためのモーメントを大きく作用させることができるので、適正な重錘の重量を選定することにより、選別風量が大きくなっても遮蔽部材が過度に大きくなり過ぎるのを抑制でき、これによって三番ロスを効果的に抑制することができるに至った。
【００２０】
［Ｖ］
（構成）
本発明の第５特徴によれば、側面視で前記軸心の位置を中心として、遮蔽部材と一体に揺動する重錘の重心位置よりも遮蔽部材の重心位置を処理物の搬送下手側となる所定の開き角度を変更可能に構成してある。
【００２１】
（作用効果）
本発明の第５特徴によると、本発明の第１〜４の特徴と同様に前項［Ｉ］〜［ＩＶ］に記載の「作用効果」を備えており、これに加えて以下のような「作用効果」を備えている。
本発明の第５特徴によると、遮蔽部材と重睡との開き角度を変更可能に構成してあるので、開き角度を調節することによって、遮蔽部材の初期状態（無風状態）の開度をして、風量に応じた遮蔽部材の開角度の任意に設定することができる。
例えば穀稈の乾燥度が悪い場合やワラ屑が多い場合には、初期状態の開き角度を大きくしておいて排藁を排出しやすくしておき、例えば稲の生長がよい場合には良く乾燥している場合には、初期状態の開き角度を小さくして三番ロスを少なくするように設定しておくことにおり収穫率が向上する。
【００２２】
［Ｖ］
（構成）
本発明の第６特徴によれば、選別風による遮蔽部材の処理物搬送下手側への揺動に対して抵抗を与えるダンパーを備えてある。
【００２３】
（作用効果）
本発明の第６特徴によると、本発明の第１〜５の特徴と同様に前項［Ｉ］〜［Ｖ］に記載の「作用効果」を備えており、これに加えて以下のような「作用効果」を備えている。
本発明の第６特徴によると、処理量の変化に伴い遮蔽部材に対する選別風の変化や遮蔽部材の振動に対して遮蔽部材の開度が急激に大きくなることを抑制できるので、開度を安定させることができ、これによって三番ロスを少なくすることができる。
【発明を実施するための最良の形態】
【００２４】
図１に、コンバインに搭載された脱穀装置１を示している。なお、この発明を実施するための最良の形態においては、脱穀装置１をコンバインに搭載した例を示すため、図１及び図２における左方が処理物の搬送上手側に相当し、図１及び図２における右方が処理物の搬送下手側に相当する。以下の説明においては、処理物の搬送上手側を前方と、処理物の搬送下手側を後方と表示する。
【００２５】
この脱穀装置１は、その上部側に扱室Ａ、中間部側に揺動選別装置Ｂ、下部側に回収装置Ｃを配設している。脱穀装置１には、刈取処理された穀稈をフィードチェーン２で挟持搬送しながら扱処理する扱胴３を扱室Ａに軸架するとともに、扱処理された処理物を漏下させる受網５を扱胴３の下方側に配設している。
【００２６】
揺動選別装置Ｂには、受網５から漏下した処理物を受け止めるグレンパン６、このグレンパン６の後方に順に位置させたチャフシーブ７及びストローラック８、チャフシーブ７の下方に位置するグレンシーブ９を、前後揺動駆動されるシーブケース１６に架設するとともに、グレンパン６の下方側に風量調整可能な唐箕１０を設けている。
【００２７】
前記揺動選別装置Ｂは、扱室Ａから漏下した処理物を開度調節自在なチャフシーブ７で受け止めて揺動移送しながら粗選別を行う粗選別部２７、この粗選別部２７から漏下した選別処理物を揺動移送しながら穀粒と二番物とに選別する精選別部２８をシーブケース１６に設けて構成してある。図４に示すように、前記チャフシーブ７は夫々横軸芯周りで揺動調節自在な複数のチャフ板７ａを並列配備して成り、各チャフ板７ａはワイヤを介して電動モータＭ１により一体的に揺動作動して、処理物の漏下開度を変更調節できるよう構成してある。また、前記チャフシーブ７の終端部後方で処理物の移送方向下手側に延びるワラ屑移送用のストローラック８を、唐箕１０の選別風を下方から受けながら作動するように配設して、排ワラ屑を前記排塵口２３から機体外方に排出させるよう構成してある。
【００２８】
図１、図４に示すように、前記チャフシーブ７の上方には、チャフシーブ７の上部における処理物の層厚さを脱穀処理量のデータとして検出する処理物量検出センサＳを設け、この検出情報に基づいて、処理物量が多いときは、チャフシーブ７の開度が広くなるように電動モータＭ１を制御し、処理物量が少ないときは、チャフシーブ７の開度が狭くなるように電動モータＭ１をそれぞれ制御する制御装置３２（制御手段の一例）を設けてある。
【００２９】
前記唐箕１０は、図１、図５、図６に示すように、唐箕ファン３３を唐箕ケース３４に内装し、唐箕１０の風量を調節するためのベルト式無断変速装置３５（唐箕風調節機構の一例）を設けて構成してあり、前記処理物量検出センサＳの検出情報に基づいて、処理物量が多いときは唐箕風が多くなるようにベルト式無断変速装置３５を駆動し、処理物量が少ないときは唐箕風が少なくなるようにベルト式無断変速装置３５を駆動する制御を、前記制御装置３２で実行可能に構成してある。
【００３０】
前記ベルト式無断変速装置３５は、原動部からの動力を受けて駆動回転する第１プーリ３６と、ベルトＶを介して第１プーリ３６から回転力を受けて唐箕ファン３３と一体回転する第２プーリ３７と、第１、第２プーリ３６，３７間のテンションプーリ３８とから成り、前記第２プーリ３７を割りプーリで構成してある。前記第２プーリ３７に対しては、第２プーリ３７を構成する一対のプーリ部材３７ａ，３７ｂ同士を軸芯方向に近接離間させてベルトＶの巻掛径を変更させるためのカム機構３９を設けてあり、このカム機構３９を構成するに、一方のプーリ部材３７ａの回転中心部と、電動モータＭ２を介して第２プーリ３７の軸芯周りに揺動するカムレバー４０の基端部との間に、カムレバー４０の揺動に伴って前記一方のプーリ部材３７ａを他方のプーリ部材３７ｂに近接離間させるカム面を形成してある。カムレバー４０と電動モータＭ２との連結部は、カムレバー４０の遊端部側の切欠き部にナット４１を、カムレバー４０の長手方向にスライド自在に嵌合するとともに、電動モータＭ２により駆動回転する送りネジ４２の先端部に螺合して構成してある。上記構成においては、カムレバー４０が機体前方側に揺動するに伴って唐箕風が少なくなり、機体後方側に揺動するに伴って唐箕風が多くなるように、各構成部材の位置関係を設定してある。
【００３１】
前記ストローラック８は、前ストローラック８Ａと後ストローラック８Ｂの上下二段に構成してある。これによって処理物が前ストローラック８Ａから後ストローラック８Ｂへ落下するときに唐箕１０による選別風で藁屑が幾分排出され比重の重い三番物と残りの藁屑が後ストローラック８Ｂで篩い選別されやすくなる。
【００３２】
回収装置Ｃには、グレンシーブ９の下方にグレンシーブ９からの漏下物（一番物）を回収して横一側に横送りする一番物搬送スクリュ１１を配設するとともに、グレンシーブ９やチャフシーブ７等からの漏下物（二番物）を回収して横一側に横送りする二番物搬送スクリュ１２を配設している。一番物搬送スクリュ１１と二番物搬送スクリュ１２の間には、二番物搬送スクリュ１２の上方に向って選別風を供給する回転ファン１３が配設されている。回転ファン１３は、図示しないが、唐箕１０の前記風量調節機構３５と同様な機構を備えてあり、前記処理物検出センサＳの検出情報に基づいて回転速度が自動的に制御するように構成されているとともに、切換スイッチにより処理物検出センサＳに基づく風量の調節をＯＦＦ、低速の変速１、中速の変速２、高速の変速３の変速比率を変更できるように構成してある。通常は変速１で使用し、藁が湿っているときや排藁量の多いときには変速２を使用し、作業終了時に清掃目的で変速３を使用する。
【００３３】
図１に示すように、扱胴３の後方下方に処理胴１７を備え、扱胴３の後端部から排出される処理物をこの処理胴１７によって解し処理し、塵埃から穀粒を取り出すように構成されている。処理胴１７の後方には排塵ファン４が配設され、この排塵ファン４の上側を覆って上側ファンガイド１４が取り付けられている。排塵ファン４の下側を覆って取り付けられた下側ファンガイド１５の下方に後述する遮蔽部材２０が左右方向の軸心Ｐ周りに回動自在に取り付けられており、排塵口２３付近に位置するシーブケース１６の後端には、後述する排塵調節板２４が配設されている。
【００３４】
図２及び図３に示すように、下側ファンガイド１５の下方で脱穀装置１の側壁１８に、回転軸１９が軸心Ｐ周りに回動自在に取り付けられており、この回転軸１９に遮蔽部材２０が取り付けられている。遮蔽部材２０は、本体部２０ａと基部部材２０ｂが一体成形されており、この基部部材２０ｂに回転軸１９を固定することによって、回転軸１９と一体回動するように構成されている。回転軸１９の一端は下方に折曲されており、この折曲部に雄ネジを施してこの部分を重錘杆３０とし、これに雌ネジを施した重錘３１を螺合して上下位置調節自在に重錘３１を取付けてある。無風の状態では、側面視で軸芯Ｐの位置に対して、遮蔽部材２０と一体に揺動する重錘３１の重心位置よりも遮蔽部材２０の上端部の軸芯Ｐ周りに揺動する遮蔽部材２０の重心位置を処理物の搬送下手側となる所定の開き角度θを有しており、この実施形態では開き角度θを２５度に設定してある。遮蔽部材２０の先端には、コ字状に成形され先端が後方に向って折り曲げられた複数のピアノ線２１が固定されており、一部の選別風を各ピアノ線２１の間の隙間から後方へ逃がすように構成されている。
【００３５】
遮蔽部材２０は、樹脂製の材料によって成形されており、その重量は１８０ｇ以下に設定されている。このように、遮蔽部材２０を軽量な樹脂によって成形することによって、唐箕１０から後方の排塵口２３に向って送られてきた選別風の風量に応じて遮蔽部材２０が揺動するように構成されている。
【００３６】
具体的に説明すると、唐箕１０の風量を最大にした状態では、遮蔽部材２０が下側ファンガイド１５の下面近くの位置まで揺動して、排塵口２３が開放されるようになっており、この状態から唐箕１０の風量を徐々に弱くしていくと、遮蔽部材２０が徐々に下方へ揺動して、排塵口２３が徐々に遮蔽されるようになっている。唐箕１０の風量がゼロになると、重錘３１が鉛直に垂れ下がった状態より僅かに前方に傾斜した状態になり、この状態が排塵口２３を最も遮蔽した状態であり、このとき図２に示すように遮蔽部材２０は軸芯Ｐを通る鉛直線より後方に傾斜した状態にある。
【００３７】
図２に示すように、唐箕１０の風量に応じて遮蔽部材２０が揺動して、排塵口２３を遮蔽することによって、前方から回収装置Ｃで回収できなかった穀粒を含んだ藁屑が供給されると、まず、遮蔽部材２０にこの穀粒と藁屑が当たって、比重の重い穀粒はシーブケース１６内に落下する。比重が軽い藁屑は、遮蔽部材２０に当たっても、唐箕１０から供給される選別風に乗って遮蔽部材２０とシーブケース１６の間を通って後方に導かれる。このように、遮蔽部材２０によって、穀粒をシーブケース１６内に導くことによって、排塵口２３から排出される穀粒の量を減少させることができる。
【００３８】
また、脱穀装置１内に供給される穀稈の量が急激に増加して、遮蔽部材２０が重錘３１の自重で垂れ下がった状態で大量の藁屑が遮蔽部材２０付近に達しても、遮蔽部材２０が藁屑の移動とともに後方に揺動することで、速やかに排塵口２３に向って藁屑を導く。そのため、遮蔽部材２０付近で、藁屑が詰まることを防止できるとともに、遮蔽部材２０の破損を防止することができる。
【００３９】
図２、図７、図８に示す符号２２は、唐箕１０の風量増大によって遮蔽部材２０の開度が大きくなった場合に、遮蔽部材２０の軸芯Ｐ周りでの揺動範囲を表わす最小及び最大開き角度を抑制するためのバネ材からなる規制部材である。この規制部材２２は、側面視「Ｊ」の字状で、平面視は線材の途中に凹部を形成した形状で、規制部材２２の折り曲げ端部２２ａを側壁１８に穿設した孔に差込み、Ｊの字状の折り曲げ内部に位置させたボルト２９で側壁１８に固定してある。規制部材２２の前記凹部内に回転軸１９を折り曲げて形成した重錘杆３０を配置してある。そして唐箕１０が駆動していない無風状態において遮蔽部材２０が自由状態（閉状態）にあるときの重錘杆３０の位置、乃至はこれの近傍位置よりも重錘杆３０が前方に移動すると、重錘杆３０が規制部材２２の凹部前側の前ストッパ部２２ｂに接当して遮蔽部材２０がこれ以上前方に移動しないようにしてあり、遮蔽部材２０が唐箕風で押し開かれて開度が大きくなり、重錘杆３０が４０度上昇すると規制部材２２の凹部後部の後ストッパ部２２ｃに接当し、遮蔽部材２０は、これ以上については規制部材２２のバネ性質によって多少開くことが許容される。すなわち遮蔽部材２０は後方に２５度傾斜した閉状態から後方に略６５度傾斜した開状態の区間で自由に揺動し、これを越える範囲については、バネ材に当接して開度を抑制されながら多少の開度増大が許容されるように作用する。
【００４０】
図２に示すように、シーブケース１６後端の壁部１６ａの後面側には、排塵調節板２４が上下位置調節可能に取り付けられている。排塵調節板２４は、シーブケース１６に沿う上下方向の固定部２４ａと、この固定部２４ａの上端から斜め後方上方に折り曲げた傾斜部２４ｂを備えた断面形状に成形されており、上端部と下端部を更に折り曲げることによって、長手方向の強度を確保できるように構成されている。このように、斜め後方上方に折り曲げた傾斜部２４ｂを設けることによって、排塵調節板２４をシーブケース１６の上面から多く突出させても、この排塵調節板２４が、藁屑が通過する際の抵抗になり難いようになっている。そのため、排塵調節板２４をシーブケース１６の上方に多く突出させることができ、穀粒を含んだ藁屑が排塵調節板２４に当たる面積を大きく確保することができる。
【００４１】
図示しないが、排塵調節板２４の傾斜部２４ｂには、上向きに開口した多数のスリットが、傾斜部２４ｂの左右幅方向全面に亘って設けられている。
【００４２】
シーブケース１６の壁部１６ａの内面側には、シーブケース１６の壁部１６ａに設けた貫通穴（図示せず）を介してボルト２６が固着されており、このボルト２６に、排塵調節板２４を蝶ナット２５で締め付け固定することによって、着脱交換可能に構成されている。排塵調節板２４の固定部２４ａの中央部及び左右両側部には、各３つの取付穴が上下に加工されており、後方から蝶ナット２５を外して排塵調節板２４を上下に移動させることで、シーブケース１６に対する上下方向の位置を３段に調節できるようになっている。このように、排塵調節板２４を上下に位置調節及び着脱交換可能に構成することによって、藁屑の量や脱穀処理する作物の品種が異なる場合であっても、この排塵調節板２４を調節又は交換することで、穀粒が機外に排出されることを防止できる。
【００４３】
排塵調節板２４によって、穀粒を含んだ藁屑は後方への急速な移動が妨げられて、穀粒がシーブケース１６内に落下する。そのため、排塵口２３から排出される穀粒の量を減少させることができる。
【００４４】
上述したように、遮蔽部材２０と排塵調節板２４は、それぞれ回収装置Ｃで回収されずに排塵口２３付近に達した穀粒をシーブケース１６内に導いて、穀粒が機外に排出されることを防止することができる効果を有するが、遮蔽部材２０と排塵調節板２４を併用することで、その効果が更に期待できる。
【００４５】
具体的に説明すると、図２に示すように、前方から穀粒を含んだ藁屑が供給されると、まず、遮蔽部材２０にこの穀粒と藁屑が当たって、比重の重い穀粒はシーブケース１６内に落下する。比重が軽い藁屑は、遮蔽部材２０に当たっても、唐箕１０から供給される選別風に乗って遮蔽部材２０とシーブケース１６の間を通って後方に導かれる。遮蔽部材２０でシーブケース１６内に導くことのできなかった穀粒は、その自重により斜め後方下方に落下しながら、排塵調節板２４の傾斜部２４ｂに当たって、シーブケース１６に導かれ、藁屑は排塵調節板２４の上方、乃至は一部はスリットの間を通って機外へ排出される。このように、遮蔽部材２０では回収することのできなかった穀粒が、排塵調節板２４の傾斜部２４ｂに当たって、確実に回収することができるように、遮蔽部材２０及び排塵調節板２４の前後及び上下方向の位置や、遮蔽部材２０及び排塵調節板２４の寸法が設定されている。
【００４６】
［発明の実施の第１別形態］
前述の［発明を実施するための最良の形態］においては、遮蔽部材２０を樹脂製の材料によって成形した例を示したが、同様の機能を果たすものであればアルミや鉄等の金属製の材料を採用してもよく、また、樹脂製や金属製に限らず、例えば、プラスチック製の材料を採用してもよい。
前述した実施の形態では、遮蔽部材２０に対する重睡３１は、回転軸１９を折曲した部分に高さ調節自在に螺合して、遮蔽部材２０と重睡３１との開き角度は変更できない構造であるが、次のように構成してもよい。
図９に示すように、遮蔽部材２０の上部に位置する回転軸１９の一端に雄ネジを施し、これに上端部３０ａに雌ネジを施した重錘杆３０を螺合して、ダブルナット３０ｂにより固定するように構成してある。重錘杆３０の下方の雄ネジ部分には、上下位置調節自在に雌ネジを施した重錘３１を取付けてある。無風の状態での開き角度θを２５度となるように設定してダブルナット３０ｂにより重錘杆３０を固定する。前記開き角度θはダブルナット３０ｂを緩めることにより所望の開き角度に変更することができる。例えば、穀稈の乾燥度が悪い場合やワラ屑が多い場合には初期状態の開き角度を大きくしておいて排藁を排出しやすくしておき、稲の生長がよい場合には良く乾燥している場合には初期状態の開き角度を小さくして三番ロスを少なくするように設定しておくことにおり収穫率が向上する。
【００４７】
［発明の実施の第２別形態］
前述の［発明を実施するための最良の形態］及び［発明の実施の第１別形態］においては、コンバインに搭載した脱穀装置１に遮蔽部材２０を備えた例を示したが、コンバインに搭載する脱穀装置１に限らず、例えば、刈取部（図示せず）を備えていないハーベスタ（図示せず）に搭載する脱穀装置１においても同様に適用できる。
【００４８】
［発明の実施のその他の形態］
上記実施の形態では、遮蔽部材２０の最大開き位置を制限するのにバネ材を使用したが、一定の開き角度以上とならないように厚板材や太棒材をストッパとして構成しても良い。
上記実施の形態では、遮蔽部材２０の閉じ側の位置を規制する前ストッパ部を形成したが、この前ストッパ部を省略して、遮蔽部材２０の最大開き角度だけを規制する後ストッパ部だけを形成した規制部材を設けるようにしたものでもよい。
【図面の簡単な説明】
【００４９】
【図１】脱穀装置の縦断側面図
【図２】脱穀装置後端部の縦断側面図
【図３】遮蔽部材の構造を示す縦断背面図
【図４】チャフシーブの開度調節をする制御系を示す縦断側面図
【図５】唐箕の風量調節機構を示す一部切欠側面図
【図６】唐箕の縦断正面図
【図７】遮蔽部材の揺動範囲を制限する規制部材を示す側面図
【図８】遮蔽部材の揺動範囲を制限する規制部材を示す平面図
【図９】遮蔽部材に取付ける重錘の別実施の態様を示す正面図
【符号の説明】
【００５０】
１          脱穀装置
１０        唐箕
２０        遮蔽部材
２２        規制部材
２３        排塵口
３１        重錘
４３        ダンパー
Ａ        扱室
Ｂ        揺動選別装置
Ｐ        軸心
θ        遮蔽部材と重錘との開き角度
【図１】
2009060842.tif 000003
【図２】
2009060842.tif 000004
【図３】
2009060842.tif 000005
【図４】
2009060842.tif 000006
【図５】
2009060842.tif 000007
【図６】
2009060842.tif 000008
【図７】
2009060842.tif 000009
【図８】
2009060842.tif 000010
【図９】
2009060842.tif 000011